(57)【要約】【課題】パラメータ等に基づいて所定の時間ごとに、表示が変更される場合において、所定の条件となると、表示させる画像を切り替えることを目的とする。【解決手段】１以上の表示装置と、前記表示装置に接続される１以上の情報処理装置とを有し、表示画像を表示する画像表示システムが、前記情報処理装置が、複数の画像データと、前記表示画像に係るパラメータとを入力し、前記パラメータに基づいて、前記画像データのうち、前記表示装置に表示画像として表示させる領域を複数決定し、前記画像データを切り替える切替条件を設定し、前記切替条件が満たされると、前記画像データを切り替え、前記領域を示すデータを前記表示装置に送信し、前記表示装置が、前記決定により決定された複数の領域を所定時間ごとに表示することにより上記課題を解決する。【選択図】図１
2017040687.tif 000002
【特許請求の範囲】
【請求項１】
１以上の表示装置と、前記表示装置に接続される１以上の情報処理装置とを有し、表示画像を表示する画像表示システムであって、
前記情報処理装置が、
複数の画像データと、前記表示画像に係るパラメータとを入力する入力部と、
前記パラメータに基づいて、前記画像データのうち、前記表示装置に表示画像として表示させる領域を複数決定する決定部と、
前記画像データを切り替える切替条件を設定する設定部と、
前記切替条件が満たされると、前記画像データを切り替える切替部と、
前記領域を示すデータを前記表示装置に送信する送信部と
を備え、
前記表示装置が、前記決定部により決定された複数の領域を所定時間ごとに表示する、画像表示システム。
【請求項２】
表示画像を表示させる１以上の表示装置に接続される情報処理装置であって、
複数の画像データと、前記表示画像に係るパラメータとを入力する入力部と、
前記パラメータに基づいて、前記画像データのうち、前記表示装置に表示画像として表示させる領域を複数決定する決定部と、
前記画像データを切り替える切替条件を設定する設定部と、
前記切替条件が満たされると、前記画像データを切り替える切替部と
を備える情報処理装置。
【請求項３】
所定時間ごとに前記パラメータに基づいて前記領域を変更する変更部を更に備える請求項２に記載の情報処理装置。
【請求項４】
前記切替条件は、前記変更によって所定角度以上前記表示画像を回転させた場合である請求項３に記載の情報処理装置。
【請求項５】
前記変更部によって、前記表示画像が水平方向に回転するように変更される場合、
前記所定角度は、水平方向３６０°である請求項４に記載の情報処理装置。
【請求項６】
前記複数の画像データは、水平方向３６０°をそれぞれ示すデータである請求項２乃至５のいずれか一項に記載の情報処理装置。
【請求項７】
前記パラメータには、前記領域の水平方向の位置を特定する水平位置パラメータ、前記領域の垂直方向の位置を特定する垂直位置パラメータ及び前記領域の範囲を特定する画角パラメータが含まれる請求項２乃至６のいずれか一項に記載の情報処理装置。
【請求項８】
前記パラメータには、前記表示画像を水平方向に回転させる方向を示す水平向きパラメータ、前記水平方向に回転させる速度を示す水平回転速度パラメータ、垂直方向に回転させる方向を示す垂直向きパラメータ、前記垂直方向に回転させる速度を示す垂直回転速度パラメータ又はこれらの組み合わせが含まれる請求項３乃至５のいずれか一項に記載の情報処理装置。
【請求項９】
前記パラメータに、前記水平向きパラメータが含まれると、
前記変更部は、前記水平向きパラメータが示す方向へ所定角度前記所定時間ごとに、前記領域を変更する請求項８に記載の情報処理装置。
【請求項１０】
前記パラメータに、前記水平回転速度パラメータが含まれると、
前記変更部は、前記水平方向において、前記水平回転速度パラメータに基づく角度前記所定時間ごとに、前記領域を変更する請求項８に記載の情報処理装置。
【請求項１１】
前記表示画像は、半球形状の場所に表示される請求項２乃至１０のいずれか一項に記載の情報処理装置。
【請求項１２】
１以上の表示装置と、前記表示装置に接続される１以上の情報処理装置とを有し、表示画像を表示する画像表示システムが行う画像表示方法であって、
前記画像表示システムが、画像データと、前記表示画像に係るパラメータとを入力する入力手順と、
前記画像表示システムが、前記パラメータに基づいて、前記画像データのうち、前記表示装置に表示画像として表示させる領域を複数決定する決定手順と、
前記画像表示システムが、前記画像データを切り替える切替条件を設定する設定手順と、
前記画像表示システムが、前記切替条件が満されると、前記画像データを切り替える切替手順と
を含む画像表示方法。
【請求項１３】
１以上の表示装置と、前記表示装置に接続される１以上の情報処理装置とを有し、表示画像を表示するコンピュータに画像表示を実行させるためのプログラムであって、
前記コンピュータが、画像データと、前記表示画像に係るパラメータとを入力する入力手順と、
前記コンピュータが、前記パラメータに基づいて、前記画像データのうち、前記表示装置に表示画像として表示させる領域を複数決定する決定手順と、
前記コンピュータが、前記画像データを切り替える切替条件を設定する設定手順と、
前記コンピュータが、前記切替条件が満たされると、前記画像データを切り替える切替手順と
を実行させるためのプログラム。
【発明の詳細な説明】
【技術分野】
【０００１】
本発明は、画像表示システム、情報処理装置、画像表示方法及びプログラムに関する。
【背景技術】
【０００２】
従来、画像を表示する際に、供給される画像に合わせて調整を行う表示装置が知られている。
【０００３】
例えば、携帯端末から供給される画像データの属性等に基づいて、表示に係る調整を行い、手動による調整又は事前の登録等を省略できる方法が知られている（例えば、特許文献１等）。
【０００４】
また、映像信号処理において、映像信号の入力ソースが切り換わった場合に、外部装置に応じて調整値に切り換え、ユーザが手作業で調整を行わなくともよいようにする方法が知られている（例えば、特許文献２等）。
【０００５】
他にも、コンテンツデータを表示するのに、設定されるコンテンツデータを表示する時間と、実際にコンテンツデータが表示される時間とを一致させる方法が知られている（例えば、特許文献３等）。
【発明の概要】
【発明が解決しようとする課題】
【０００６】
しかしながら、従来の方法では、広範囲が撮像される画像、いわゆる全天球画像等の表示が想定されていない場合がある。そのため、パラメータ等に基づいて所定の時間ごとに、表示が変更される場合において、所定の条件となっても、表示させる画像を切り替えられない場合がある。
【０００７】
本発明は、上記課題に鑑みてなされたものであり、パラメータ等に基づいて所定の時間ごとに、表示が変更される場合において、所定の条件となると、表示させる画像を切り替えることを目的とする。
【課題を解決するための手段】
【０００８】
一態様における、１以上の表示装置と、前記表示装置に接続される１以上の情報処理装置とを有し、表示画像を表示する画像表示システムは、前記情報処理装置が、複数の画像データと、前記表示画像に係るパラメータとを入力する入力部と、前記パラメータに基づいて、前記画像データのうち、前記表示装置に表示画像として表示させる領域を複数決定する決定部と、前記画像データを切り替える切替条件を設定する設定部と、前記切替条件が満たされると、前記画像データを切り替える切替部と、前記領域を示すデータを前記表示装置に送信する送信部とを備え、前記表示装置が、前記決定部により決定された複数の領域を所定時間ごとに表示する。
【発明の効果】
【０００９】
本発明の各実施形態によれば、パラメータ等に基づいて所定の時間ごとに、表示が変更される場合において、所定の条件となると、表示させる画像を切り替えることができる。
【図面の簡単な説明】
【００１０】
【図１】本発明の一実施形態に係る画像表示システムの全体構成の一例を示すブロック図である。
【図２】本発明の一実施形態に係る画像表示システムによって表示される表示画像の一例を示す図である。
【図３】本発明の一実施形態に係る全天球カメラ及び全天球画像の一例を示す図である。
【図４】本発明の一実施形態に係る情報処理装置のハードウェア構成の一例を示すブロック図である。
【図５】本発明の一実施形態に係る表示装置のハードウェア構成の一例を示すブロック図である。
【図６】本発明の一実施形態に係る画像表示システムによる全体処理の一例を示すシーケンス図である。
【図７】本発明の一実施形態に係る情報処理装置に対する入力の一例を示す概念図である。
【図８】本発明の一実施形態に係る画像データの入力に用いられる操作画面の一例を示す図である。
【図９】本発明の一実施形態に係るパラメータの入力に用いられる操作画面の一例を示す図（その１）である。
【図１０】本発明の一実施形態に係るパラメータの入力に用いられる操作画面の一例を示す図（その２）である。
【図１１】本発明の一実施形態に係るプレイリストの一例を示す図である。
【図１２】本発明の一実施形態に係る画像表示システムによる全体処理の水平方向に係る処理結果例等を示す図である。
【図１３】本発明の一実施形態に係る画像表示システムによる全体処理の垂直方向に係る処理結果例等を示す図である。
【図１４】本発明の一実施形態に係る画像表示システムによる切り替えの一例を示す図である。
【図１５】本発明の一実施形態に係る画像表示システムの機能構成の一例を示す機能ブロック図である。
【発明を実施するための形態】
【００１１】
以下、本発明の実施形態について添付の図面を参照しながら説明する。なお、本明細書及び図面において、実質的に同一の機能構成を有する構成要素については、同一の符号を付し、重複した説明を省く。
【００１２】
＜画像表示システム及び情報処理装置の例＞
はじめに、本実施形態に係る画像表示システムの全体構成の一例について説明する。
【００１３】
図１は、本発明の一実施形態に係る画像表示システムの全体構成の一例を示すブロック図である。図示するように、例えば、画像表示システム１は、情報処理装置の例であるＰＣ（Ｐｅｒｓｏｎａｌ  Ｃｏｍｐｕｔｅｒ）と、表示装置の例であるプロジェクタとを有する。以下、図示するように、画像表示システム１が、１台のＰＣ１１と、４台のプロジェクタである第１プロジェクタ１Ａ、第２プロジェクタ１Ｂ、第３プロジェクタ１Ｃ及び第４プロジェクタ１Ｄとを有する例で説明する。
【００１４】
ＰＣ１１には、画像データＤ１が入力される。例えば、画像データＤ１は、ユーザＵＳＲの全方位が撮像できる、いわゆる全天球カメラ（以下単に「全天球カメラ」という。）３によって撮像される画像（以下「全天球画像」という。）等を示すデータである。画像データＤ１がＰＣ１１に入力されると、ＰＣ１１は、画像データＤ１に基づいて各プロジェクタに画像を表示させ、各プロジェクタに表示させるそれぞれの画像を組み合わせた画像（以下「表示画像」という。）をスクリーン２上に表示する。
【００１５】
なお、画像データＤ１は、静止画を示すデータに限られず、動画を示すデータでもよい。
【００１６】
また、図示するように、各プロジェクタは、それぞれ異なる向き、即ち、それぞれの光軸の向きが異なるとする。例えば、第１プロジェクタ１Ａ、第３プロジェクタ１Ｃ及び第４プロジェクタ１Ｄは、それぞれ水平方向に対して光軸が平行であるとし、第２プロジェクタ１Ｂは、水平方向に対して直交する垂直方向に対して光軸が平行であるとする。
【００１７】
以下、説明では、第３プロジェクタ１Ｃの光軸が指す水平方向（図内では、奥行き方向に相当する。）を正面方向とし、Ｚ軸とする。また、Ｚ軸に対して右手方向（図内では左右方向に相当する。）をＸ軸とする。一方、Ｚ軸及びＸ軸に対して直交する垂直方向（図内では上下方向に相当する。）をＹ軸とする。また、Ｘ軸回りの回転をＰｉｔｃｈ回転、Ｙ軸回りの回転をＹａｗ回転及びＺ軸回りの回転をＲｏｌｌ回転とする。
【００１８】
図２は、本発明の一実施形態に係る画像表示システムによって表示される表示画像の一例を示す図である。なお、図２（Ａ）は、平面図、図２（Ｂ）は、側面図である。以下の説明では、水平方向について、第３プロジェクタ１Ｃの光軸と一致する角度をＹａｗ回転に係る水平角度（以下「Ｙａｗ角度」という。）の原点とし、０°とする。一方、垂直方向について、水平方向と平行となる角度をＰｉｔｃｈ回転に係る垂直角度（以下「Ｐｉｔｃｈ角度」という。）の原点とし、０°とする。なお、Ｐｉｔｃｈ角度が０°の状態が垂直状態であり、第２プロジェクタ１Ｂの光軸は、Ｐｉｃｔｈ角度が０°であるとする。
【００１９】
図２（Ａ）に図示するように、第１プロジェクタ１Ａ、第３プロジェクタ１Ｃ及び第４プロジェクタ１Ｄは、例えば、主に１２０°ずつの範囲をそれぞれ表示して、１つの表示画像をスクリーン２に表示する。
【００２０】
まず、水平方向について、図２（Ａ）に示す例で説明する。図２（Ａ）では、第３プロジェクタ１Ｃは、Ｙａｗ角度のうち、３００°乃至３６０°及び０°乃至６０°の範囲を主に表示する。また、第４プロジェクタ１Ｄは、６０°乃至１８０°の範囲を主に表示する。さらに、第１プロジェクタ１Ａは、１８０°乃至３００°の範囲を主に表示する。なお、各プロジェクタが表示するそれぞれの範囲は、図示するように、重複する範囲があってもよい。
【００２１】
このように、３台のプロジェクタで、Ｙａｗ角度１２０°ずつをそれぞれ表示すると、画像表示システムは、水平方向３６０°に表示画像を表示することができる。
【００２２】
一方、垂直方向について、図２（Ｂ）に示す例で説明する。図２（Ｂ）では、第１プロジェクタ１Ａ、第３プロジェクタ１Ｃ及び第４プロジェクタ１Ｄは、Ｐｉｔｃｈ角度のうち、それぞれ３０°乃至９０°及び２７０°乃至３３０°の範囲を主に表示する。さらに、第２プロジェクタ１Ｂは、Ｐｉｔｃｈ角度のうち、０°乃至３０°及び３３０°乃至３６０°の範囲を主に表示する。なお、各プロジェクタが表示するそれぞれの範囲は、図示するように、重複する範囲があってもよい。
【００２３】
このように、各プロジェクタで、Ｐｉｔｃｈ角度６０°ずつをそれぞれ表示すると、画像表示システムは、垂直方向１８０°に表示画像を表示することができる。
【００２４】
なお、各プロジェクタが表示する範囲は、均等でなくともよい。また、スクリーン２は、ディスプレイ等でもよい。
【００２５】
さらに、表示装置は、４台に限られない。即ち、表示装置は、他の台数であってもよい。また、情報処理装置は、ＰＣに限られず、サーバ、モバイルＰＣ、スマートフォン又はタブレット等でもよい。さらにまた、情報処理装置は、複数の情報処理装置を有する情報処理システムでもよく、情報処理システムは、例えば、ＰＣ及びタブレットを有してもよい。
【００２６】
また、スクリーン２は、図示するように、半球形状であるのが望ましい。即ち、表示画像が表示される場所は、図示するような半球形状の場所であるのが望ましい。図示するように、スクリーン２が半球形状である、いわゆるドーム（ｄｏｍｅ）型であると、画像表示システムは、半球の中心から水平方向３６０°に表示画像を表示できる。ただし、スクリーン２は、半球形状に限られず、他の形状でもよい。
【００２７】
＜全天球カメラ及び全天球画像の例＞
図３は、本発明の一実施形態に係る全天球カメラ及び全天球画像の一例を示す図である。全天球カメラ３は、例えば、図３（Ａ）に示すように、第１レンズ３Ｈ１及び第２レンズ３Ｈ２を有する。第１レンズ３Ｈ１及び第２レンズ３Ｈ２は、それぞれ画角１８０°の範囲を撮像できる広角レンズ又は魚眼レンズ等である。即ち、全天球カメラ３は、図３（Ｂ）に示すように、ユーザＵＳＲの水平方向３６０°及び垂直方向３６０°を撮像することができるカメラの例である。なお、全天球カメラ３は、全方位カメラ、広角カメラ、魚眼レンズを使うカメラ又はこれらの組み合わせ等でもよい。
【００２８】
全天球画像を示す画像データＤ１は、例えば、全天球カメラ３によって、生成される。例えば、まず、ユーザＵＳＲによる操作に基づいて全天球カメラ３は、水平方向１８０°ずつ範囲を撮像する画像（以下「撮像画像」という。）Ｄ２を第１レンズ３Ｈ１及び第２レンズ３Ｈ２によって、図３（Ｃ）及び図３（Ｄ）に示すように、それぞれ撮像する。次に、全天球カメラ３は、図３（Ｃ）及び図３（Ｄ）にそれぞれ示す撮像画像Ｄ２を組み合わせて、全天球カメラ３の水平方向３６０°を示す図３（Ｅ）の画像データＤ１を生成する。全天球カメラ３等によって撮像される画像データＤ１であると、画像データＤ１は、水平方向３６０°等の広い範囲を示すことができる。
【００２９】
＜ハードウェア構成例＞
図４は、本発明の一実施形態に係る情報処理装置のハードウェア構成の一例を示すブロック図である。具体的には、ＰＣ１１は、ＣＰＵ（Ｃｅｎｔｒａｌ  Ｐｒｏｃｅｓｓｉｎｇ  Ｕｎｉｔ）１１Ｈ１と、記憶装置１１Ｈ２と、入力Ｉ／Ｆ（ｉｎｔｅｒｆａｃｅ）１１Ｈ３と、入力装置１１Ｈ４と、出力Ｉ／Ｆ１１Ｈ５と、出力装置１１Ｈ６とを有する。
【００３０】
ＣＰＵ１１Ｈ１は、各種処理及び各種データの加工を行う演算装置並びに各ハードウェア等を制御する制御装置である。なお、ＣＰＵ１１Ｈ１は、ＣＰＵ１１Ｈ１を補助する演算装置又は制御装置を有し、複数の装置で構成されてもよい。
【００３１】
記憶装置１１Ｈ２は、データ、プログラム及び設定値等を記憶する。また、記憶装置１１Ｈ２は、いわゆるメモリ（ｍｅｍｏｒｙ）等である。なお、記憶装置１１Ｈ２は、ハードディスク（ｈａｒｄｄｉｓｋ）等の補助記憶装置等を有してもよい。
【００３２】
入力Ｉ／Ｆ１１Ｈ３は、画像データＤ１等のデータ及びユーザによる操作等を入力するインタフェースである。具体的には、入力Ｉ／Ｆ１１Ｈ３は、コネクタ及び接続される外部装置等である。なお、入力Ｉ／Ｆ１１Ｈ３は、ネットワーク又は無線等を使用してもよい。
【００３３】
入力装置１１Ｈ４は、コマンド等による操作及びデータを入力する装置である。具体的には、入力装置１１Ｈ４は、例えば、キーボード及びマウス等である。
【００３４】
出力Ｉ／Ｆ１１Ｈ５は、データ等を出力するインタフェースである。具体的には、出力Ｉ／Ｆ１１Ｈ５は、コネクタ及び接続される外部装置等である。なお、出力Ｉ／Ｆ１１Ｈ５は、ネットワーク又は無線等を使用してもよい。
【００３５】
出力装置１１Ｈ６は、データ等を出力する装置である。具体的には、出力装置１１Ｈ６は、例えばディスプレイ等である。
【００３６】
なお、入力装置１１Ｈ４及び出力装置１１Ｈ６は、入力装置及び出力装置が一体となっているタッチパネルディスプレイ等でもよい。また、入力装置１１Ｈ４及び出力装置１１Ｈ６は、スマートフォン又はタブレット等の別の情報処理装置で構成されてもよい。
【００３７】
図５は、本発明の一実施形態に係る表示装置のハードウェア構成の一例を示すブロック図である。具体的には、第１プロジェクタ１Ａ、第２プロジェクタ１Ｂ、第３プロジェクタ１Ｃ及び第４プロジェクタ１Ｄは、入力Ｉ／Ｆ１ＡＨ１と、出力装置１ＡＨ２と、記憶装置１ＡＨ３と、ＣＰＵ１ＡＨ４と、入力装置１ＡＨ５とをそれぞれ有する。以下、各プロジェクタが、それぞれ同一のハードウェア構成である例で説明する。
【００３８】
入力Ｉ／Ｆ１ＡＨ１は、各プロジェクタにＰＣ等からデータ又は信号等を入力するインタフェースである。具体的には、入力Ｉ／Ｆ１ＡＨ１は、コネクタ、ドライバ及び処理ＩＣ（Ｉｎｔｅｇｒａｔｅｄ  Ｃｉｒｃｕｉｔ）等である。
【００３９】
出力装置１ＡＨ２は、レンズ等の光学部品及び光源等である。また、出力装置１ＡＨ２は、入力されるデータ又は信号等に基づいて画像を表示する。
【００４０】
記憶装置１ＡＨ３は、データ、プログラム及び設定値等を記憶する。また、記憶装置１ＡＨ３は、メモリ等の主記憶装置、ハードディスク等の補助記憶装置又はこれらの組み合わせ等である。
【００４１】
ＣＰＵ１ＡＨ４は、各種処理及び各種データの加工を行う演算装置並びに各ハードウェア等を制御する制御装置である。なお、ＣＰＵ１ＡＨ４は、ＣＰＵ１ＡＨ４を補助する演算装置又は制御装置を有し、複数の装置で構成されてもよい。
【００４２】
入力装置１ＡＨ５は、コマンド等による操作及びデータを入力する装置である。具体的には、入力装置１ＡＨ５は、例えば、スイッチ、キーボード及びマウス等である。
【００４３】
各プロジェクタは、入力Ｉ／Ｆ１ＡＨ１によって、ネットワーク、ＮＦＣ（Ｎｅａｒ  Ｆｉｅｌｄ  Ｃｏｍｍｕｎｉｃａｔｉｏｎ）等の無線又はこれらの組み合わせによって画像データに基づくデータ又は信号を入力し、画像を表示する。なお、各プロジェクタは、ＵＳＢ（Ｕｎｉｖｅｒｓａｌ  Ｓｅｒｉａｌ  Ｂｕｓ）メモリ等の記録媒体を用いてデータ等を入力してもよい。
【００４４】
＜全体処理例＞
図６は、本発明の一実施形態に係る画像表示システムによる全体処理の一例を示すシーケンス図である。
【００４５】
ステップＳ０１では、ＰＣ１１は、画像データＤ１を複数入力する。例えば、画像データＤ１は、全天球カメラ３（図１）等から入力される。
【００４６】
ステップＳ０２では、ＰＣ１１は、表示画像の一覧等をユーザＵＳＲに表示する。なお、ステップＳ０２は、ユーザによる表示画像を選択する操作が入力されるまで繰り返し行われる。
【００４７】
ステップＳ０３では、ＰＣ１１は、パラメータＰａｒを入力する。例えば、パラメータＰａｒは、ＰＣ１１が設定画面等のＧＵＩ（Ｇｒａｐｈｉｃａｌ  Ｕｓｅｒ  Ｉｎｔｅｒｆａｃｅ）を表示して、設定画面等に対するユーザＵＳＲによる操作によって入力される。なお、パラメータは、データ又はコマンド等で入力されてもよい。
【００４８】
ステップＳ０４では、ＰＣ１１には、ユーザＵＳＲによる表示指示の操作が入力される。例えば、表示指示の操作は、開始ボタンを押す等である。
【００４９】
ステップＳ０５では、ＰＣ１１は、パラメータＰａｒに基づいて、各プロジェクタに出力する設定データを生成する。
【００５０】
ステップＳ０６では、ＰＣ１１は、各プロジェクタにステップＳ０５で生成されるパラメータＰａｒに基づく設定データをそれぞれ出力する。
【００５１】
ステップＳ０７では、各プロジェクタは、ステップＳ０６で出力される設定データをそれぞれ記憶する。
【００５２】
ステップＳ０８では、ＰＣ１１は、ステップＳ０２で選択された画像を表示させる表示データを各プロジェクタにそれぞれ出力する。
【００５３】
ステップＳ０９では、各プロジェクタは、ステップＳ０８で出力される表示データをそれぞれ記憶する。
【００５４】
ステップＳ０８及びステップＳ０９は、表示データがすべて出力されるまで繰り返し行われる。
【００５５】
ステップＳ１０では、ＰＣ１１には、設定データに基づく表示の開始を指示する操作が入力される。これにより、例えば、アップロードが完了した旨を示すメッセージ又は表示が開始される旨を示すメッセージが各プロジェクタにそれぞれ出力される。
【００５６】
ステップＳ１１では、各プロジェクタは、ステップＳ０７で記憶した設定データをそれぞれ検証する。例えば、検証は、設定データが所定のフォーマットに対応するデータであるか否かをチェックする。次に、検証の結果、設定データが所定のフォーマットと異なるデータである場合には、各プロジェクタは、エラー処理を行う。なお、エラー処理は、例えば、エラーを表示する処理等である。
【００５７】
ステップＳ１２では、ＰＣ１１は、画像データを切り替える切替条件を設定する。具体的には、切替条件は、表示画像を所定角度以上回転させた場合とする等である。具体的には、例えば、パラメータＰａｒによって、表示画像が水平方向に回転するように設定される場合には、切替条件は、水平方向３６０°等と設定される。この場合は、表示画像が水平方向に３６０°以上回転すると、次の表示画像が表示される例である。以下、表示画像が水平方向に回転するように設定され、かつ、切替条件が水平方向３６０°と設定される例で説明する。
【００５８】
ステップＳ１３では、ＰＣ１１は、切替条件が満たされているか否かを判定する。次に、切替条件が満たされていると判定された場合（図で［切替条件を満たした］）には、ＰＣ１１は、ステップＳ１４に進む。一方、切替条件が満たされていないと判定された場合には、ＰＣ１１は、ステップＳ１５に進む。
【００５９】
ステップＳ１４では、ＰＣ１１は、画像データＤ１を切り替える。
【００６０】
ステップＳ１５では、各プロジェクタは、ステップＳ０７で記憶したパラメータＰａｒに基づく設定データによって、所定時間ごとに表示画像が変化するように、画像をそれぞれ表示する。
【００６１】
なお、各手順の順序は、図６に示す順序に限られない。例えば、ステップＳ０１及びステップＳ０２と、ステップＳ０３とは、逆の順序又は並行して行われてもよい。また、ステップＳ０５、ステップＳ０６及びステップＳ０７と、ステップＳ０８及びステップＳ０９とは、逆の順序又は並行して行われてもよい。さらに、ステップＳ１１は、ステップＳ０７の次に行われてもよい。
【００６２】
なお、切替条件は、ステップＳ１２で設定されるに限られない。例えば、切替条件は、パラメータＰａｒで設定されてもよい。さらに、ステップＳ１２は、例えば、図６に示す以外の順序で行われてもよい。
【００６３】
また、各手順の全部又は一部は、並行、分散又は冗長して行われてもよい。
【００６４】
＜入力例＞
図７は、本発明の一実施形態に係る情報処理装置に対する入力の一例を示す概念図である。例えば、図７（Ａ）に示すように、ユーザＵＳＲは、ＰＣ１１等に対して操作ＯＰＲを行う。図６に示す全体処理において、操作ＯＰＲは、ステップＳ０１、ステップＳ０３及びステップＳ０４等で行われる。
【００６５】
また、図７（Ｂ）に示すように、ユーザＵＳＲは、タブレットＴＡＢ等に対して操作ＯＰＲを行ってもよい。以下、タブレットが出力する操作画面に対して、ユーザＵＳＲが操作を行う例で説明する。
【００６６】
図８は、本発明の一実施形態に係る画像データの入力に用いられる操作画面の一例を示す図である。例えば、タブレットは、タブレットが有するタッチパネル等によって図示する操作画面を表示する。これに対して、ユーザＵＳＲ（図７）は、タッチパネルを指又はペンデバイス等でタッチパネルを触って、操作画面上で操作する。例えば、タブレットは、まず、図８（Ａ）に示す第１操作画面ＰＮ１を表示するとする。
【００６７】
図８（Ａ）に示す第１操作画面ＰＮ１に対して、ユーザＵＳＲが触れると、タブレットは、図８（Ｂ）に示す第２操作画面ＰＮ２を表示する。第２操作画面ＰＮ２では、例えば、図示するように、全天球画像の縮小図又はいわゆるサムネイル画像等が、一覧形式で表示される。即ち、第２操作画面ＰＮ２は、図６に示すステップＳ０２で表示される一覧ＬＩＳＴの一例である。なお、一覧ＬＩＳＴによって、表示される画像は、タブレット又は情報処理装置にあらかじめ入力される全天球画像等である。
【００６８】
なお、画像は、全天球カメラ３（図１）等の外部装置から入力してもよい。例えば、第２操作画面ＰＮ２は、全天球カメラ３を接続する操作用の第１ボタンＢＴＮ１を有するとする。具体的には、第１ボタンＢＴＮ１が押されると、タブレットは、図８（Ｃ）に示す第３操作画面ＰＮ３を表示する。
【００６９】
第３操作画面ＰＮ３は、図示するように、全天球カメラ３を情報処理装置又はタブレットに接続するガイド画面等である。次に、第３操作画面ＰＮ３が表示されると、ユーザＵＳＲは、全天球カメラ３を接続する操作を行う。続いて、全天球カメラ３が接続されると、タブレットは、図８（Ｄ）に示す第４操作画面ＰＮ４を表示する。
【００７０】
第４操作画面ＰＮ４は、接続された全天球カメラ３に記憶されている画像を図８（Ｂ）に示す第２操作画面ＰＮ２と同様に、一覧形式等で表示する。これによって、第２操作画面ＰＮ２と同様に、一覧ＬＩＳＴが表示される。次に、一覧ＬＩＳＴのうち、１つの画像（以下「第１選択画像」という。）が選択されると、タブレットは、第１選択画像にフォーカスした図８（Ｅ）に示す第５操作画面ＰＮ５を表示する。
【００７１】
第５操作画面ＰＮ５では、第１選択画像用サムネイル画像ＳＩｍｇ１が押されると、第１選択画像プレビュー画像Ｉｍｇ１等が表示される。
【００７２】
また、第５操作画面ＰＮ５では、第１選択画像とは異なる画像（以下「第２選択画像」という。）が選択される操作が行われてもよい。第５操作画面ＰＮ５で第２選択画像用サムネイル画像ＳＩｍｇ２が押されると、例えば、図８（Ｆ）に示すような第６操作画面ＰＮ６がタブレットによって表示される。第６操作画面ＰＮ６は、図８（Ｆ）に示すように、第２選択画像プレビュー画像Ｉｍｇ２等を表示する。
【００７３】
さらに、以下にパラメータが操作画面から入力される例を説明する。
【００７４】
図９は、本発明の一実施形態に係るパラメータの入力に用いられる操作画面の一例を示す図（その１）である。例えば、パラメータの入力に用いられる操作画面は、図８（Ｅ）に示す第５操作画面ＰＮ５等が有する設定ボタン等のＧＵＩが押されると、出力されるとする。具体的には、図９（Ａ）に示すように、第５操作画面ＰＮ５に設定ボタンＢＴＮ２があり、設定ボタンＢＴＮ２が押されると、タブレットは、図９（Ｂ）に示す第７操作画面ＰＮ７を表示する。
【００７５】
例えば、図６に示すステップＳ０３におけるパラメータの一部は、第７操作画面ＰＮ７に対する操作等で入力されてもよい。表示画像の明るさを設定する明るさパラメータは、例えば、図示する「露光補正指定」等で入力される。また、表示画像のコントラストを設定するコントラストパラメータは、例えば、図示する「コントラスト補正」等で入力される。さらに、表示画像として表示される画像データを一定時間ごとに変更させる、いわゆるスライドショーを行うか否かの切り替えパラメータは、例えば、図示する「スライドショー」に係る「ＯＮ」及び「ＯＦＦ」のボタン等で入力される。なお、スライドショーを行う場合には、パラメータとして、スライドショーにおいて各表示画像を表示している時間、即ち、一定時間を示すパラメータが入力される。具体的には、図９（Ｂ）は、「スライドショー」を行う設定とし、かつ、一定時間が「１５秒」と設定されるパラメータが入力された例を示す。
【００７６】
他に、パラメータとして、表示画像を水平方向に回転させる方向を示す水平向きパラメータ及び水平方向に回転させる速度を示す水平回転速度パラメータ等が入力される。また、垂直方向に回転させる方向を示す垂直向きパラメータ及び垂直方向に回転させる速度を示す垂直回転速度パラメータ等が入力されてもよい。
【００７７】
以下、水平向きパラメータ、水平回転速度パラメータ、垂直向きパラメータ及び垂直回転速度パラメータが画像表示システムの管理者によって設定される例で説明する。具体的には、まず、図８（Ｂ）及び図９（Ｃ）に示す第２操作画面ＰＮ２において、右下部分ＢＴＮ３が１０秒程度、いわゆる長押しされると、タブレットは、図９（Ｄ）に示す第８操作画面ＰＮ８等を表示する。
【００７８】
第８操作画面ＰＮ８は、図９（Ｄ）に示すように、管理者用のパスワードを入力させる画面である。あらかじめ設定されるパスワードと同一のパスワードが入力されると、タブレットは、図９（Ｅ）に示す第９操作画面ＰＮ９等を表示する。
【００７９】
第９操作画面ＰＮ９は、いわゆる管理者用設定画面の例である。第９操作画面ＰＮ９では、例えば、管理者用のパスワードが変更できる。具体的には、第９操作画面ＰＮ９において、パスワード変更ボタンＢＴＮ４が押されると、タブレットは、図９（Ｆ）に示す第１０操作画面ＰＮ１０等を表示する。
【００８０】
第１０操作画面ＰＮ１０では、新しいパスワードが入力できる。新しいパスワードが入力されると、管理者用のパスワードは、新しいパスワードに変更される。
【００８１】
一方、図９（Ｅ）に示す第９操作画面ＰＮ９において、表示画像選択ボタンＢＴＮ５が押されると、タブレットは、画像データ名パラメータ等を入力できる操作画面を表示する。
【００８２】
図１０は、本発明の一実施形態に係るパラメータの入力に用いられる操作画面の一例を示す図（その２）である。第１１操作画面ＰＮ１１は、画像データを一定時間ごとに変更させる画像データ名パラメータを入力する操作画面の例である。即ち、第１１操作画面ＰＮ１１でチェックされた画像が、一定時間ごとに変更されて、表示画像としてそれぞれ表示される。また、第１１操作画面ＰＮ１１で表示画像が選択されると、タブレットは、図１０（Ｂ）に示す第１２操作画面ＰＮ１２等を表示する。
【００８３】
第１２操作画面ＰＮ１２では、水平向きパラメータ、水平回転速度パラメータ、垂直向きパラメータ及び垂直回転速度パラメータが入力される。例えば、水平向きパラメータは、第１２操作画面ＰＮ１２が有する水平向き設定ボタンＢＴＮ６で入力される。また、垂直向きパラメータは、例えば、第１２操作画面ＰＮ１２が有する垂直向き設定ボタンＢＴＮ７で入力される。さらに、水平回転速度パラメータ及び垂直回転速度パラメータは、例えば、回転速度設定ボタンＢＴＮ８で入力される。さらに、表示画像として表示される各画像データを変更する一定時間は、スクロールバーＳＢＡ等で入力される。
【００８４】
即ち、パラメータは、例えば、下記（表１）のようなパラメータ等である。以下、下記（表１）に示すパラメータを含むデータを「プレイリスト」という。なお、プレイリストは、下記（表１）に示すパラメータをすべて含む必要はなく、下記（表１）に示すパラメータのうち、一部が省略されてもよい。省略される場合には、あらかじめ設定されるいわゆる初期値が使用される等でもよい。また、設定した複数の表示画像を繰り返し表示する、いわゆるリピート再生等が設定されてもよい。
【００８５】
さらに、各パラメータは、表示画像ごとにそれぞれ設定されてもよいし、すべての表示画像又は複数の表示画像に対して一律に設定されてもよい。なお、表示画像が動画である場合には、再生時間が表示画像ごとに設定されるので、再生時間に基づいて、各パラメータは、設定されてもよい。
【００８６】
また、パラメータは、ＧＵＩ等で入力されるのに限られず、例えば、コマンド入力、テキスト入力、数値、データ又はこれらの組み合わせ等で入力されてもよい。
【００８７】
なお、切替条件を設定する操作画面があってもよい。即ち、切替条件は、操作画面によって設定されてもよい。
【００８８】
【表１】
2017040687.tif 000003
上記（表１）において、「Ｎｏ．１」に示すパラメータは、バージョン情報を示すパラメータの例である。
【００８９】
上記（表１）において、「Ｎｏ．２」に示すパラメータは、表示画像として表示する画像の順序を指定するパラメータ例である。具体的には、図１０（Ａ）に示すように、複数の画像が選択される場合には（図１０（Ａ）において複数の画像に対してチェックが行われる場合）、「Ｎｏ．２」に示すパラメータは、選択された画像を表示する順序を指定する。
【００９０】
上記（表１）において、「Ｎｏ．３」に示すパラメータは、表示設定を示す配列を示す。
【００９１】
上記（表１）において、「Ｎｏ．４」に示すパラメータは、表示画像を変更する一定時間を指定する時間パラメータの例である。
【００９２】
上記（表１）において、「Ｎｏ．５」に示すパラメータは、表示画像を変更する際の効果を指定するエフェクトパラメータの例である。具体的には、エフェクトパラメータとして、「０」乃至「６」のうち、いずれかの値が設定される。例えば、エフェクトパラメータが「０」と設定されると、表示されている画像から次の画像に変更するのに、フェードイン（ｆａｄｅ−ｉｎ）効果が設定される。フェードイン効果は、例えば、表示されている画像を徐々に暗くして少しずつ見えなくする効果、次の画像を徐々に明るくして少しずつ見えるようにする効果又はこれらの組み合わせである。
【００９３】
また、例えば、エフェクトパラメータが「１」又は「２」と設定されると、表示画像が変更される場合において、表示されている画像が押し出されるように次の画像に変更されるプッシュ（ｐｕｓｈ）効果が設定される。なお、エフェクトパラメータは、「１」又は「２」で、プッシュ効果において、画像が押し出される方向を指定できる。
【００９４】
また、例えば、エフェクトパラメータが「３」又は「４」と設定されると、表示画像が変更される場合において、表示されている画像が徐々に次の画像に置き換えられて変更されるワイプ（ｗｉｐｅ）効果が設定される。なお、エフェクトパラメータは、「３」又は「４」で、ワイプ効果において、画像が置き換えられていく方向を指定できる。
【００９５】
上記（表１）において、「Ｎｏ．６」に示すパラメータは、画像データの記憶先を示す。記憶先は、いわゆるパス等で示す。
【００９６】
上記（表１）において、「Ｎｏ．７」に示すパラメータは、水平方向角度を設定し、表示画像として表示する領域の水平方向の位置を特定する水平位置パラメータの例である。
【００９７】
上記（表１）において、「Ｎｏ．８」に示すパラメータは、垂直方向角度を設定し、表示画像として表示する領域の垂直方向の位置を特定する垂直位置パラメータの例である。
【００９８】
上記（表１）において、「Ｎｏ．９」に示すパラメータは、表示画像の拡大率又は縮小率を設定して、表示画像で表示する範囲を特定する画角パラメータの例である。
【００９９】
即ち、「Ｎｏ．７」乃至「Ｎｏ．９」の各パラメータが入力されると、表示画像として最初に表示される領域等が特定される。
【０１００】
上記（表１）において、「Ｎｏ．１０」に示すパラメータは、表示画像を水平方向に回転させる方向を示す水平向きパラメータの例である。
【０１０１】
上記（表１）において、「Ｎｏ．１１」に示すパラメータは、表示画像を垂直方向に回転させる方向を示す垂直向きパラメータの例である。
【０１０２】
上記（表１）において、「Ｎｏ．１２」に示すパラメータは、表示画像の明るさを設定する明るさパラメータの例である。
【０１０３】
上記（表１）において、「Ｎｏ．１３」に示すパラメータは、表示画像のコントラストを設定するコントラストパラメータの例である。
【０１０４】
なお、パラメータには、切替条件を設定するパラメータがあってもよい。また、パラメータには、水平方向に回転させる速度を示す水平回転速度パラメータ及び垂直方向に回転させる速度を示す垂直回転速度パラメータがあってもよい。
【０１０５】
さらに、切替条件は、水平方向に係る条件に限られない。例えば、切替条件は、垂直方向に係る条件でもよい。さらに、切替条件は、水平方向に係る条件と、垂直方向に係る条件とを組み合わせた条件でもよい。
【０１０６】
タブレットを用いて図８乃至図１０に示す操作画面等によって、ユーザが上記（表１）に示す各パラメータを入力すると、タブレットは、プレイリストをＰＣ１１（図１）に送信する。即ち、図６に示すステップＳ０３は、例えば、図８乃至図１０に示す操作画面に対するユーザの操作及びプレイリストの送信等によって実現される。
【０１０７】
図１１は、本発明の一実施形態に係るプレイリストの一例を示す図である。プレイリストＰＬＳは、例えば、ＪＳＯＮ（ＪａｖａＳｃｒｉｐｔ  Ｏｂｊｅｃｔ  Ｎｏｔａｔｉｏｎ）形式等で生成される。以下、プレイリストＰＬＳがＪＳＯＮ形式で生成される例で説明する。なお、プレイリストＰＬＳは、他の形式で生成されてもよい。
【０１０８】
上記（表１）において、「Ｎｏ．１」に示すパラメータは、例えば、プレイリストＰＬＳでは、第１パラメータＰａｒ１のように、入力される。
【０１０９】
上記（表１）において、「Ｎｏ．２」に示すパラメータは、例えば、プレイリストＰＬＳでは、第２パラメータＰａｒ２のように、入力される。
【０１１０】
上記（表１）において、「Ｎｏ．４」に示すパラメータは、例えば、プレイリストＰＬＳでは、第４パラメータＰａｒ４のように、入力される。
【０１１１】
上記（表１）において、「Ｎｏ．５」に示すパラメータは、例えば、プレイリストＰＬＳでは、第５パラメータＰａｒ５のように、入力される。
【０１１２】
上記（表１）において、「Ｎｏ．６」に示すパラメータは、例えば、プレイリストＰＬＳでは、第６パラメータＰａｒ６のように、入力される。
【０１１３】
上記（表１）において、「Ｎｏ．７」に示すパラメータは、例えば、プレイリストＰＬＳでは、第７パラメータＰａｒ７のように、入力される。
【０１１４】
上記（表１）において、「Ｎｏ．８」に示すパラメータは、例えば、プレイリストＰＬＳでは、第８パラメータＰａｒ８のように、入力される。
【０１１５】
上記（表１）において、「Ｎｏ．９」に示すパラメータは、例えば、プレイリストＰＬＳでは、第９パラメータＰａｒ９のように、入力される。
【０１１６】
上記（表１）において、「Ｎｏ．１０」に示すパラメータは、例えば、プレイリストＰＬＳでは、第１０パラメータＰａｒ１０のように、入力される。
【０１１７】
上記（表１）において、「Ｎｏ．１１」に示すパラメータは、例えば、プレイリストＰＬＳでは、第１１パラメータＰａｒ１１のように、入力される。
【０１１８】
上記（表１）において、「Ｎｏ．１２」に示すパラメータは、例えば、プレイリストＰＬＳでは、第１２パラメータＰａｒ１２のように、入力される。
【０１１９】
上記（表１）において、「Ｎｏ．１３」に示すパラメータは、例えば、プレイリストＰＬＳでは、第１３パラメータＰａｒ１３のように、入力される。
【０１２０】
＜処理結果例＞
図１２は、本発明の一実施形態に係る画像表示システムによる全体処理の水平方向に係る処理結果例等を示す図である。以下、図１２（Ａ）に示す画像データＤ１のうち、一部の領域が表示画像として表示される場合を例に説明する。まず、水平方向について説明する。
【０１２１】
プレイリストＰＬＳ（図１１）等によって、水平位置パラメータ及び画角パラメータがそれぞれ入力されると、水平方向について、画像データＤ１のうち、各プロジェクタにそれぞれ表示させる領域が決定する。例えば、水平位置パラメータ及び画角パラメータに基づいて、ＰＣは、画像データＤ１において、第１領域ＡＲＡ１を第３プロジェクタ１Ｃ（図１）が表示すると決定する。この場合には、図１２（Ｂ）に示すように、Ｙａｗ角度が「０°」となる場所を中心に、第１領域ＡＲＡ１を示す画像が、第３プロジェクタ１Ｃによって表示される。
【０１２２】
同様に、水平位置パラメータ及び画角パラメータに基づいて、ＰＣは、画像データＤ１において、第２領域ＡＲＡ２を第１プロジェクタ１Ａ（図１）が表示すると決定する。この場合には、図１２（Ｂ）に示すように、Ｙａｗ角度が「２４０°」となる場所を中心に、第２領域ＡＲＡ２を示す画像が、第１プロジェクタ１Ａによって表示される。
【０１２３】
さらに、水平位置パラメータ及び画角パラメータに基づいて、ＰＣは、画像データＤ１において、第３領域ＡＲＡ３を第４プロジェクタ１Ｄ（図１）が表示すると決定する。この場合には、図１２（Ｂ）に示すように、Ｙａｗ角度が「１２０°」となる場所を中心に、第３領域ＡＲＡ３を示す画像が、第４プロジェクタ１Ｄによって表示される。
【０１２４】
画像データＤ１のうち、第１領域ＡＲＡ１、第２領域ＡＲＡ２及び第３領域ＡＲＡ３の各領域に基づいて各プロジェクタにそれぞれ表示させると、画像表示システムは、表示画像を視点ＰＳに対して水平方向３６０°に表示できる。即ち、水平位置パラメータ及び画角パラメータがそれぞれ入力されると、画像表示システムは、水平方向３６０°に表示される第１領域ＡＲＡ１、第２領域ＡＲＡ２及び第３領域ＡＲＡ３をそれぞれ決定できる。また、第１領域ＡＲＡ１、第２領域ＡＲＡ２及び第３領域ＡＲＡ３に基づいてそれぞれ表示される画像が、組み合わさると、表示画像となる。
【０１２５】
続いて、水平向きパラメータによって、第１方向ＤＩＲ１に表示画像を回転させる設定が行われたとすると、画像表示システムは、第１領域ＡＲＡ１、第２領域ＡＲＡ２及び第３領域ＡＲＡ３を所定時間ごとに変更する。具体的には、まず、図１２（Ａ）に示すように各領域が決定され、決定された各領域に基づいて表示画像が表示されて所定時間が経過したとする。この場合には、画像表示システムは、図１２（Ｃ）に示すように、各領域を第１方向ＤＩＲ１へそれぞれ変更する。続いて、画像表示システムは、図１２（Ｃ）に示す各領域に基づいて表示画像を表示する。
【０１２６】
図１２（Ａ）及び図１２（Ｃ）に示す変更と同様に、所定時間ごとに、画像表示システムは、各領域を第１方向ＤＩＲ１へそれぞれ繰り返し変更する。つまり、図１２（Ｃ）に示すように表示画像が表示された後、所定時間が経過したとすると、画像表示システムは、図１２（Ｃ）に示す各領域を更に第１方向ＤＩＲ１に変更させる。
【０１２７】
図１２（Ａ）に示す各領域から図１２（Ｃ）に示す各領域に変更されると、各プロジェクタが表示する画像が変更されるので、表示画像が変更される。具体的には、図１２（Ｂ）に示す視点ＰＳからすると、表示画像が、第２方向ＤＩＲ２にＹａｗ回転しているように見える。即ち、画像表示システムは、水平向きパラメータに基づいて第１方向ＤＩＲ１に所定時間ごとに領域を変更することで、表示画像が水平方向に回転（Ｙａｗ回転）しているように見せることができる。
【０１２８】
なお、例えば、図１２（Ａ）において、第１領域ＡＲＡ１、第２領域ＡＲＡ２及び第３領域ＡＲＡ３の各水平方向の位置、即ち、Ｘ軸の座標等は、上記（表１）における「Ｎｏ．７」に示すパラメータ等の水平位置パラメータで特定できる。つまり、水平位置パラメータは、Ｘ軸において、いわゆる初期値等を特定するパラメータである。
【０１２９】
さらに、図１２（Ａ）及び図１２（Ｃ）において、第１領域ＡＲＡ１、第２領域ＡＲＡ２及び第３領域ＡＲＡ３の各範囲、即ち、各領域の画素数又は面積等は、上記（表１）における「Ｎｏ．９」に示すパラメータ等の画角パラメータで特定できる。つまり、画角位置パラメータは、各領域の範囲を特定するパラメータである。
【０１３０】
さらにまた、図１２（Ａ）及び図１２（Ｃ）において、第１領域ＡＲＡ１、第２領域ＡＲＡ２及び第３領域ＡＲＡ３を変更する方向である第１方向ＤＩＲ１は、上記（表１）における「Ｎｏ．１０」に示すパラメータ等の水平向きパラメータで特定できる。なお、図１２（Ａ）に示す第１方向ＤＩＲ１とは逆向きとなるように水平向きパラメータを入力すると、画像表示システムは、表示画像が第２方向ＤＩＲ２とは逆方向に回転（Ｙａｗ回転）しているように見せることができる。
【０１３１】
また、図１２（Ａ）及び図１２（Ｃ）において、第１領域ＡＲＡ１、第２領域ＡＲＡ２及び第３領域ＡＲＡ３を変更する頻度、各領域を変更する角度又は所定時間等は、水平回転速度パラメータで特定できる。例えば、水平回転速度パラメータは、「３６°／秒」等と入力される。この場合には、１秒当たりで３６°表示画像が回転するように、各領域が所定時間ごとに変更される。つまり、最初の表示から１０秒経過した場合に表示画像が３６０°回転するため、１０秒後に表示画像が１回転して最初の表示となるように、変更が行われる。
【０１３２】
また、例えば、図１２（Ａ）から図１２（Ｃ）への変更において、各領域を第１方向ＤＩＲ１に変更する角度が大きいと、各領域は、大きく変更される。この場合には、図１２（Ｂ）に示す視点ＰＳからすると、表示画像が、速くＹａｗ回転しているように見える。したがって、水平回転速度パラメータが入力されると、画像表示システムは、表示画像が水平方向に回転（Ｙａｗ回転）している速度を調整することができる。
【０１３３】
次に、垂直方向について説明する。
【０１３４】
図１３は、本発明の一実施形態に係る画像表示システムによる全体処理の垂直方向に係る処理結果例等を示す図である。以下、図１３では、図１２と同様の図１３（Ａ）に示す画像データＤ１のうち、一部の領域が表示画像として表示される場合を例に説明する。
【０１３５】
プレイリストＰＬＳ（図１１）等によって、垂直位置パラメータ及び画角パラメータがそれぞれ入力されると、垂直方向において、画像データＤ１のうち、各プロジェクタにそれぞれ表示させる領域が決定する。例えば、垂直位置パラメータ及び画角パラメータに基づいて、ＰＣは、画像データＤ１において、第４領域ＡＲＡ４を第１プロジェクタ１Ａ（図１）、第３プロジェクタ１Ｃ（図１）及び第４プロジェクタ１Ｄ（図１）に表示させると決定する。この場合には、図１３（Ｂ）に示すように、Ｐｉｔｃｈ角度が「３０°乃至９０°」及び「２７０°乃至３３０°」となる場所を中心に、第４領域ＡＲＡ４を示す画像が第１プロジェクタ１Ａ、第３プロジェクタ１Ｃ及び第４プロジェクタ１Ｄによって表示される。
【０１３６】
同様に、垂直位置パラメータ及び画角パラメータに基づいて、ＰＣは、画像データＤ１において、第５領域ＡＲＡ５を第２プロジェクタ１Ｂ（図１）に表示させると決定する。この場合には、図１３（Ｂ）に示すように、Ｐｉｔｃｈ角度が「０°乃至３０°」及び「３３０°乃至３６０°」となる場所を中心に、第５領域ＡＲＡ５を示す画像が第２プロジェクタ１Ｂによって表示される。
【０１３７】
第４領域ＡＲＡ４及び第５領域ＡＲＡ５を示す画像が各プロジェクタによってそれぞれ表示されると、画像表示システムは、表示画像を視点ＰＳに対して垂直方向１８０°に表示できる。即ち、垂直位置パラメータ及び画角パラメータがそれぞれ入力されると、画像表示システムは、垂直方向１８０°に表示される表示画像となる第４領域ＡＲＡ４及び第５領域ＡＲＡ５をそれぞれ決定できる。
【０１３８】
続いて、垂直向きパラメータによって、第３方向ＤＩＲ３に表示画像を回転させる設定が行われたとすると、画像表示システムは、第４領域ＡＲＡ４及び第５領域ＡＲＡ５を所定時間ごとに変更する。具体的には、まず、図１３（Ａ）に示すように各領域が決定され、決定された各領域に基づいて表示画像が表示されて所定時間が経過したとする。この場合には、画像表示システムは、図１３（Ｃ）に示すように、各領域を第３方向ＤＩＲ３へそれぞれ変更する。続いて、画像表示システムは、図１３（Ｃ）に示す各領域に基づいて表示画像を表示する。
【０１３９】
図１３（Ａ）及び図１３（Ｃ）に示す変更と同様に、所定時間ごとに、画像表示システムは、各領域を第３方向ＤＩＲ３へそれぞれ繰り返し変更する。つまり、図１３（Ｃ）に示すように表示画像が表示された後、所定時間が経過したとすると、画像表示システムは、図１３（Ｃ）に示す各領域を更に第３方向ＤＩＲ３に変更させる。
【０１４０】
図１３（Ａ）に示す各領域から図１３（Ｃ）に示す各領域に変更されると、各プロジェクタが表示する画像が変更されるので、表示画像が変更される。具体的には、図１３（Ｂ）に示す視点ＰＳからすると、表示画像が、第４方向ＤＩＲ４にＰｉｔｃｈ回転しているように見える。即ち、画像表示システムは、垂直向きパラメータに基づいて第３方向ＤＩＲ３に所定時間ごとに領域を変更することで、表示画像が垂直方向に回転（Ｐｉｔｃｈ回転）しているように見せることができる。
【０１４１】
なお、例えば、図１３（Ａ）において、第４領域ＡＲＡ４及び第５領域ＡＲＡ５の各垂直方向の位置、即ち、Ｙ軸の座標等は、上記（表１）における「Ｎｏ．８」に示すパラメータ等の垂直位置パラメータで特定できる。つまり、垂直位置パラメータは、Ｙ軸において、いわゆる初期値等を特定するパラメータである。
【０１４２】
さらに、図１３（Ａ）及び図１３（Ｃ）において、第４領域ＡＲＡ４及び第５領域ＡＲＡ５の各範囲、即ち、各領域の画素数又は面積等は、上記（表１）における「Ｎｏ．９」に示すパラメータ等の画角パラメータで特定できる。つまり、画角位置パラメータは、各領域の範囲を特定するパラメータである。
【０１４３】
さらにまた、図１３（Ａ）及び図１３（Ｃ）において、第４領域ＡＲＡ４及び第５領域ＡＲＡ５を変更する方向である第３方向ＤＩＲ３は、上記（表１）における「Ｎｏ．１１」に示すパラメータ等の垂直向きパラメータで特定できる。なお、図１３（Ａ）に示す第３方向ＤＩＲ３とは逆向きとなるように垂直向きパラメータを入力すると、画像表示システムは、表示画像が第４方向ＤＩＲ４とは逆方向に回転（Ｐｉｔｃｈ回転）しているように見せることができる。
【０１４４】
また、図１３（Ａ）及び図１３（Ｃ）において、第４領域ＡＲＡ４及び第５領域ＡＲＡ５を変更する頻度、各領域を変更する角度又は所定時間等は、垂直回転速度パラメータで特定できる。例えば、図１３（Ａ）から図１３（Ｃ）への変更において、各領域を第３方向ＤＩＲ３に変更する角度が大きいと、各領域は、大きく変更される。この場合には、図１３（Ｂ）に示す視点ＰＳからすると、表示画像が、速くＰｉｔｃｈ回転しているように見える。したがって、垂直回転速度パラメータが入力されると、画像表示システムは、表示画像が垂直方向に回転（Ｐｉｔｃｈ回転）している速度を調整することができる。
【０１４５】
なお、水平方向の回転及び垂直方向の回転を組み合わせて、表示画像が斜め方向に回転しているように見せてもよい。
【０１４６】
図１４は、本発明の一実施形態に係る画像表示システムによる切り替えの一例を示す図である。表示画像が水平方向に回転するように設定され、かつ、切替条件が水平方向３６０°と設定されるとする。以下、図示するように、まず、画像表示システムが、第１領域ＡＲＡ１の中心位置が初期位置ＳＰに位置するように、表示画像を表示する例で説明する。さらに、この例では、図１２と同様に、第１方向ＤＩＲ１に各領域が変更されるようにパラメータが設定されるとする。
【０１４７】
この場合では、図１２（Ａ）及び図１２（Ｃ）に示すように、所定時間ごとに、各領域は、第１方向ＤＩＲ１に変更される。このように、繰り返し各領域が変更されると、図１４（Ａ）に示すように、第１領域ＡＲＡ１の中心位置は、１周して再び初期位置ＳＰに位置するように変更される。この場合には、ＰＣは、水平方向３６０°に表示画像を回転させたと判定し、切替条件を満たしたと判定する（図６で［切替条件を満たした］）。この判定結果に基づいて表示画像を切り替えると、図１４（Ｂ）に示すように、視点ＰＳからすると、表示画像がＹａｗ回転で１回転ＲＴした際に、表示画像が切り替わるように見える。つまり、画像表示システムは、表示画像が１回転ＲＴした際に表示画像を切り替えることができる。
【０１４８】
例えば、水平回転速度パラメータが「３６°／秒」と入力される場合には、視点ＰＳからすると、「３６°／秒×１０秒＝３６０°」で表示画像がＹａｗ回転しているように見える。したがって、表示画像が最初に表示されてから１０秒後に、表示画像は、Ｙａｗ回転で３６０°回転し、最初に表示された状態となる。即ち、表示画像が１回転された状態となる。
【０１４９】
例えば、各表示画像がそれぞれ１周したら次の表示画像に切り替えたいと管理者等が考える場合には、管理者等は、上記のように、回転速度等に基づいて、切り替えを行う時間等を計算して設定する必要がある。特に、設定される回転速度が表示画像ごとにそれぞれ異なる場合等では、管理者等は、計算等の作業が増え、設定に係る作業負荷が大きくなる場合が多い。一方、切替条件に基づいて画像データを切り替えると、設定される回転速度が表示画像ごとにそれぞれ異なる場合等でも、切替条件が満たされると画像データが切り替わる。そのため、上記のように、計算を行う必要等が少なくなる。ゆえに、管理者等は、設定に係る作業負荷を少なくできる。
【０１５０】
＜機能構成例＞
図１５は、本発明の一実施形態に係る画像表示システムの機能構成の一例を示す機能ブロック図である。例えば、画像表示システムは、入力部１Ｆ１と、決定部１Ｆ２と、変更部１Ｆ３と、設定部１Ｆ４と、切替部１Ｆ５とを含む。
【０１５１】
入力部１Ｆ１は、画像データＤ１と、表示画像に係るパラメータＰａｒとを入力する。なお、入力部１Ｆ１は、例えば、入力Ｉ／Ｆ１１Ｈ３（図４）、入力装置１１Ｈ４（図４）又はタブレットＴＡＢ（図７）等によって実現される。
【０１５２】
決定部１Ｆ２は、入力部１Ｆ１によって入力されるパラメータＰａｒに基づいて、画像データＤ１のうち、表示装置に表示画像として表示させる領域を決定する。なお、決定部１Ｆ２は、例えば、ＣＰＵ１１Ｈ１（図４）等によって実現される。
【０１５３】
変更部１Ｆ３は、所定時間ごとに、入力部１Ｆ１によって入力されるパラメータＰａｒに基づいて領域を変更して、表示画像を変更する。なお、変更部１Ｆ３は、例えば、ＣＰＵ１１Ｈ１等によって実現される。
【０１５４】
設定部１Ｆ４は、表示画像として表示される画像データＤ１を切り替える切替条件ＳＷを設定する。なお、設定部１Ｆ４は、例えば、入力Ｉ／Ｆ１１Ｈ３、入力装置１１Ｈ４又はタブレットＴＡＢ等によって実現される。
【０１５５】
切替部１Ｆ５は、変更部１Ｆ３による変更によって切替条件ＳＷが満たされると、表示画像として表示される画像データを切り替える。なお、切替部１Ｆ５は、例えば、ＣＰＵ１１Ｈ１等によって実現される。
【０１５６】
入力部１Ｆ１によって入力されるパラメータＰａｒに基づいて各表示装置に表示させる領域がそれぞれ決定されると、各表示装置が表示する画像を組み合わせて表示画像が表示できる。各領域は、決定部１Ｆ２が各パラメータに基づいて決定できる。次に、所定時間ごとに、変更部１Ｆ３は、各領域をパラメータＰａｒに基づいて変更する。例えば、図１２及び図１３等のように、各領域が所定時間ごとに決定又は変更されると、画像表示システムは、表示画像を所定時間ごとに表示できる。これによって、画像表示システムは、例えば、表示画像が回転しているように表示することができる。ゆえに、画像表示システムは、パラメータＰａｒ等に基づいて、表示画像を所定時間ごとに表示できる。
【０１５７】
次に、所定の時間ごとに、表示が変更され、設定部１Ｆ４によって設定される切替条件ＳＷが満たされると、切替部１Ｆ５は、画像データを切り替える。これによって、画像表示システムは、パラメータ等に基づいて表示画像が所定時間ごとに表示される場合において、切替条件ＳＷが示す所定の条件となると、画像データＤ１を切り替えることによって、表示させる画像を切り替えることができる。
【０１５８】
また、パラメータＰａｒによって、表示画像を回転させる方向又は速度等を設定できる。
【０１５９】
なお、本発明に係る各処理の全部又は一部は、アセンブラ、Ｃ言語及びＪａｖａ（登録商標）等のレガシープログラミング言語、オブジェクト指向プログラミング言語又はこれらの組み合わせ等で記述されたコンピュータに画像表示を実行させるためのプログラムによって実現されてもよい。即ち、プログラムは、情報処理装置又は情報処理装置を含む画像表示システム等のコンピュータに各処理を実行させるためのコンピュータプログラムである。
【０１６０】
また、プログラムは、ＲＯＭ又はＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等のコンピュータが読み取り可能な記録媒体に記憶して頒布することができる。なお、記録媒体は、ＥＰＲＯＭ（Ｅｒａｓａｂｌｅ  Ｐｒｏｇｒａｍｍａｂｌｅ  ＲＯＭ）、フラッシュメモリ、フレキシブルディスク、光ディスク、ＳＤ（登録商標）カード又はＭＯ等でもよい。さらにまた、プログラムは、電気通信回線を通じて頒布されてもよい。
【０１６１】
さらに、画像表示システムは、ネットワーク等によって相互に接続される２以上の情報処理装置を有し、各種処理の全部又は一部を複数の情報処理装置が分散、並列又は冗長してそれぞれ処理を行ってもよい。また、画像表示システムでは、上述で説明したのとは別の装置が処理を行ってもよい。
【０１６２】
以上、本発明の好ましい実施例について詳述したが、本発明は、特定の実施形態に限定されず、特許請求の範囲に記載された本発明の要旨の範囲内において、種々の変形又は変更が可能である。
【符号の説明】
【０１６３】
１  画像表示システム
１１  ＰＣ
２  スクリーン
３  全天球カメラ
Ｄ１  画像データ
Ｐａｒ  パラメータ
ＴＡＢ  タブレット
【先行技術文献】
【特許文献】
【０１６４】
【特許文献１】特開２０１３−３３２７号公報
【特許文献２】特開２００８−３３１３８号公報
【特許文献３】特開２０１５−５５８２７号公報
【図１】
2017040687.tif 000004
【図２】
2017040687.tif 000005
【図３】
2017040687.tif 000006
【図４】
2017040687.tif 000007
【図５】
2017040687.tif 000008
【図６】
2017040687.tif 000009
【図７】
2017040687.tif 000010
【図１１】
2017040687.tif 000011
【図１２】
2017040687.tif 000012
【図１３】
2017040687.tif 000013
【図１４】
2017040687.tif 000014
【図１５】
2017040687.tif 000015
【図８】
2017040687.tif 000016
【図９】
2017040687.tif 000017
【図１０】
2017040687.tif 000018